(57)【要約】【課題】装着及び離脱を装着者が個人で行うことをできるようにすることによって、状況によって異なる色や長さのヘアエクステンションに簡易に付け替えることができるとともに、頭髪にダメージを与えず、また、取り扱いの容易なヘアエクステンションを提供すること。【解決手段】シート上に、先端に係止部３ａを形成したモノフィラメントからなる多数の突起状物３を林立状態に配設した基体２と、基体２に取り付けた毛束４と、基体２の表面に施した装飾体５とからなるヘアエクステンション１を、基体２の突起状物３を頭髪に掛止させることにより頭部に装着するようにする。【選択図】図１
2012172267.tif 000002
【特許請求の範囲】
【請求項１】
シート上に、先端に係止部を形成したモノフィラメントからなる多数の突起状物を林立状態に配設した基体と、該基体に取り付けた毛束とからなり、前記基体の突起状物を頭髪に掛止させることにより頭部に装着するようにしたことを特徴とするヘアエクステンション。
【請求項２】
前記突起状物の高さが３〜７ｍｍで、配設密度が６０〜１５０本／ｃｍ２であることを特徴とする請求項１記載のヘアエクステンション。
【請求項３】
前記基体の表面に装飾体を施したことを特徴とする請求項１又は２記載のヘアエクステンション。
【発明の詳細な説明】
【技術分野】
【０００１】
本発明は、ヘアエクステンションに関し、特に、着脱が容易なヘアエクステンションに関するものである。
【背景技術】
【０００２】
従来、ヘアエクステンションは、化学繊維からなる人工毛や人毛で作られた毛束を頭部に装着して使用するようにしている。
【０００３】
ところで、頭部へのヘアエクステンションの装着方法として、頭髪に接着剤で毛束を接着する方法、熱収縮チューブや金属製のリングに頭髪及び毛束を通し、熱収縮チューブを加熱、収縮させたり、金属製のリングを加圧して装着する方法、前記接着剤と熱収縮チューブや金属製のリングを併用する方法、頭髪に毛束を編み込んで縛る方法等が一般的であった（例えば、特許文献１参照）。
【０００４】
そして、従来のヘアエクステンションは、その装着及び離脱を装着者が個人で行うことは困難で、専門の技術者に行ってもらう必要があった。
【０００５】
このため、ヘアエクステンションは、一旦装着すると長期間取り外すことなく使用することが一般的で、状況によって異なる色や長さのヘアエクステンションに簡易に付け替えることができないという問題があった。
【０００６】
さらに、従来のヘアエクステンションは、頭髪にダメージを与えやすいという問題や、化学繊維を使用する人工毛の場合、熱に弱いため、ドライヤやコテを使用する際に取り扱いに注意が必要となるという問題があった。
【先行技術文献】
【特許文献】
【０００７】
【特許文献１】特開２００８−２０２１９９号公報
【発明の概要】
【発明が解決しようとする課題】
【０００８】
本発明は、上記従来のヘアエクステンションの有する問題点に鑑み、装着及び離脱を装着者が個人で行うことをできるようにすることによって、状況によって異なる色や長さのヘアエクステンションに簡易に付け替えることができるとともに、頭髪にダメージを与えず、また、取り扱いの容易なヘアエクステンションを提供することを目的とする。
【課題を解決するための手段】
【０００９】
上記目的を達成するため、本発明のヘアエクステンションは、シート上に、先端に係止部を形成したモノフィラメントからなる多数の突起状物を林立状態に配設した基体と、該基体に取り付けた毛束とからなり、前記基体の突起状物を頭髪に掛止させることにより頭部に装着するようにしたことを特徴とする。
【００１０】
この場合において、前記突起状物の高さを３〜７ｍｍ、配設密度を６０〜１５０本／ｃｍ２にすることができる。
【００１１】
また、前記基体の表面に装飾体を施すことができる。
【発明の効果】
【００１２】
本発明のヘアエクステンションによれば、シート上に、先端に係止部を形成したモノフィラメントからなる多数の突起状物を林立状態に配設した基体と、該基体に取り付けた毛束とからなり、前記基体の突起状物を頭髪に掛止させることにより、ヘアエクステンションを頭部に装着することができるようにすることにより、装着及び離脱を装着者が個人で行うことをでき、このため、状況によって異なる色や長さのヘアエクステンションに簡易に付け替えることができるとともに、頭髪にダメージを与えず、また、取り扱いも容易である。
【００１３】
また、突起状物の高さを３〜７ｍｍ、配設密度を６０〜１５０本／ｃｍ２にすることにより、表面積が小さい基体であっても頭髪にしっかりと掛止され、離脱することがない。
【００１４】
また、基体の表面に装飾体を施すことにより、装着部の外観の違和感をなくし、意匠性に優れたヘアエクステンションとすることができる。
【図面の簡単な説明】
【００１５】
【図１】本発明のヘアエクステンションの一実施例を示し、（ａ）は正面図、（ｂ）は側面図、（ｃ）は背面図である。
【図２】本発明のヘアエクステンションの他の実施例を示し、（ａ）は正面図、（ｂ）は側面図、（ｃ）は背面図である。
【発明を実施するための形態】
【００１６】
以下、本発明のヘアエクステンションの実施の形態を、図面に基づいて説明する。
【００１７】
図１及び図２に、本発明のヘアエクステンションの一実施例を示す。
このヘアエクステンション１は、シート上に、先端に係止部３ａを形成したモノフィラメントからなる多数の突起状物３を林立状態に配設した基体２と、基体２に取り付けた毛束４と、基体２の表面に施した装飾体５とからなり、基体２の突起状物３を頭髪に掛止させることにより頭部に装着できるようにしている。
【００１８】
突起状物３は、頭髪に絡み易い形状であれば、その形状は特に限定されるものではないが、本実施例においては、先端に係止部３ａを形成する面ファスナの雄部と同様の素材を用いるようにしている。
具体的には、突起状物３は、係止部３ａの形状を、突起状物３の先端を加熱することによってキノコ状に形成したものを好適に用いることができる。
なお、突起状物３の係止部３ａは、頭髪に対する装着・離脱性、保持性等の点で、上記のキノコ状に形成したものを好適に用いることができるが、このほか、フック状等の面ファスナの雄部として用いられる形態を採用することもでき、本発明はこれを排除するものでない。
【００１９】
また、突起状物３の高さや基体２に対する配設密度は、特に限定されるものではないが、基体２の表面積が１〜１０ｃｍ２（通常は、３〜５ｃｍ２）と小さい場合、突起状物３の高さＨを３〜７ｍｍ、好ましくは、４〜６ｍｍ、配設密度を６０〜１５０本／ｃｍ２、好ましくは、１００〜１２０本／ｃｍ２に設定するようにする。
また、突起状物３は、千鳥状又は格子状に配設することができる。
【００２０】
突起状物３の高さＨを３〜７ｍｍと一般的な面ファスナの雄部の高さ（２ｍｍ程度）よりも高くすることにより、突起状物３が頭髪に絡みつくようにして掛止され、また、先端に形成されたキノコ状の係止部３ａによって頭髪からの離脱を防止することができる。
また、突起状物３の基体２に対する配設密度を６０〜１５０本／ｃｍ２と一般的な面ファスナの雄部の配設密度より多くすることにより、頭髪と突起状物３との間での摩擦抵抗を増大させて、頭髪からの離脱を防止することができる。
【００２１】
毛束４は、人毛又は人工毛を、基体２と装飾体５に挟んで、接着等により取り付けるようにしている。
そして、毛束４の色及び長さは種々のタイプを用意し、使用者が状況によって異なる色や長さのヘアエクステンション１を選択できるようにする。
【００２２】
基体２の表面に施す装飾体５は、例えば、蝶や花をモチーフとし、ビーズを配する等により髪飾り的な意味合いを持たせることにより、装着部の外観の違和感をなくし、意匠性に優れたヘアエクステンション１とすることができる。
【００２３】
このヘアエクステンション１は、基体２の突起状物３を頭髪に掛止させることにより、ヘアエクステンション１を頭部に装着することができることから、装着及び離脱を装着者が個人で行うことをでき、このため、状況によって異なる色や長さのヘアエクステンションに簡易に付け替えることができるとともに、頭髪にダメージを与えず、また、取り扱いも容易である。
【００２４】
以上、本発明のヘアエクステンションについて、その実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明のヘアエクステンションは、装着及び離脱を装着者が個人で行うことをできるようにすることによって、状況によって異なる色や長さのヘアエクステンションに簡易に付け替えることができるとともに、頭髪にダメージを与えず、また、取り扱いが容易であるという特性を有していることから、簡易にヘアエクステンションを使用する場合に好適に用いることができる。
【符号の説明】
【００２６】
１    ヘアエクステンション
２    基体
３    突起状物
３ａ  係止部
４    毛束
５    装飾体
【図１】
2012172267.tif 000003
【図２】
2012172267.tif 000004